(57)【要約】【課題】複数のメディアドライブに装着された複数のメディアに記憶されているファイルの一括処理を行うこと。【解決手段】複数のメディアドライブＡ〜Ｃと、複数のメディアドライブＡ〜Ｃに装着された複数のメディアに対してアクセスを行うファイルシステム１１と、ファイルシステム１１に対して指示を与え、複数のメディアドライブＡ〜Ｃに装着された複数のメディアに記憶されているファイルを一括して処理するアプリケーション２０と、アプリケーション２０によって一括して処理されたファイルを出力するプリンタ１４とを備える画像処理装置１である。【選択図】図１
2005327070.tif 000002
【特許請求の範囲】
【請求項１】
複数のメディアドライブと、
前記複数のメディアドライブに装着された複数のメディアに対してアクセスを行うファイルシステムと、
前記ファイルシステムに対して指示を与え、前記複数のメディアドライブに装着された複数のメディアに記憶されているファイルを一括して処理するアプリケーションと、
前記アプリケーションによって一括して処理されたファイルを出力する出力部と
を備えることを特徴とする画像処理装置。
【請求項２】
前記アプリケーションは、前記複数のメディアに記憶されたファイルを一括して読み出し、サムネイルを前記出力部で画面表示する制御を行う
ことを特徴とする請求項１記載の画像処理装置。
【請求項３】
前記アプリケーションは、前記複数のメディアに記憶されたファイルを一括して読み出し、サムネイルを前記出力部で用紙に印刷出力する制御を行う
ことを特徴とする請求項１記載の画像処理装置。
【請求項４】
前記アプリケーションは、前記複数のメディアに記憶されたファイルを一括して読み出し、そのうちユーザによって選択されたファイルのみを前記出力部で用紙に印刷出力する制御を行う
ことを特徴とする請求項１記載の画像処理装置。
【請求項５】
複数のメディアドライブに装着された複数のメディアに対してアクセスを行う工程と、
前記複数のメディアに記憶されたファイルを一括して処理する工程と、
前記一括して処理されたファイルに対して所定の出力処理を行う工程と
を備えることを特徴とする画像処理方法。
【請求項６】
前記所定の出力処理は、前記複数のメディアに記憶されたファイルのサムネイルを画面表示する処理である
ことを特徴とする請求項５記載の画像処理方法。
【請求項７】
前記所定の出力処理は、前記複数のメディアに記憶されたファイルのサムネイルを用紙に印刷出力する処理である
ことを特徴とする請求項５記載の画像処理方法。
【請求項８】
前記所定の出力処理は、前記複数のメディアに記憶されたファイルのうちユーザによって選択されたファイルのみを用紙に印刷出力する処理である
ことを特徴とする請求項５記載の画像処理方法。
【請求項９】
前記複数のメディアドライブに装着された複数のメディアに対してアクセスを行うに先立ち、前記所定の出力処理の内容をユーザに要求する
ことを特徴とする請求項５記載の画像処理方法。
【請求項１０】
前記所定の出力処理の内容をユーザに要求した後、前記メディアドライブへのメディアの装着状態を検査する
ことを特徴とする請求項９記載の画像処理方法。
【請求項１１】
前記メディアの装着状態を検査した結果、前記メディアドライブにメディアが装着されていない場合には、前記メディアドライブへメディアを装着する旨の要求を行い、前記メディアドライブにメディアが既に装着されている場合には、そのメディアを取り出す旨の要求を行う
ことを特徴とする請求項１０記載の画像処理方法。
【発明の詳細な説明】
【技術分野】
【０００１】
本発明は、複数のメディアドライブが設けられた画像処理装置およびそのメディアドライブに装着されたメディアに記憶されるファイルの処理を行う画像処理装置に関する。
【背景技術】
【０００２】
リムーバブルメディア内の画像に対して、プリント、ＦＡＸ送信、ファイリング等の処理を行う各種装置が提示されているが、そのうち複数のリムーバルメディアスロットを備えた装置に関しては、特許文献１に開示されている。
【０００３】
【特許文献１】特開２００１−２７３４６５号公報
【発明の開示】
【発明が解決しようとする課題】
【０００４】
しかしながら、このような画像処理装置では、複数のメディアドライブが設けられているにもかかわらず１つのメディアスロットにしかメディアを挿入できないようにするなど、処理対象が１つのメディアに限定されており、複数のメディアスロットのメディアを一括して処理対象とすることができない構成となっている。そのため、利用者が複数のメディアを用いて各メディア内のファイルに対する処理を行いたい場合、例えば、複数のメディアにまたがったファイルのインデックスプリントやソートプリント等の一括した処理を指示することができず、ユーザの使い勝手に十分こたえられていないという問題が生じている。
【課題を解決するための手段】
【０００５】
本発明は、このような課題を解決するために成されたものである。すなわち、本発明は、複数のメディアドライブと、複数のメディアドライブに装着された複数のメディアに対してアクセスを行うファイルシステムと、ファイルシステムに対して指示を与え、複数のメディアドライブに装着された複数のメディアに記憶されているファイルを一括して処理するアプリケーションと、アプリケーションによって一括して処理されたファイルを出力する出力部とを備える画像処理装置である。
【０００６】
また、本発明は、複数のメディアドライブに装着された複数のメディアに対してアクセスを行う工程と、複数のメディアに記憶されたファイルを一括して処理する工程と、一括して処理されたファイルに対して所定の出力処理を行う工程とを備える画像処理方法である。
【０００７】
このような本発明では、複数のメディアドライブに複数のメディアが装着されている場合、これらのメディアに対して一括してファイルの処理を行うことができ、この一括して処理されたファイルに対して所定の出力処理を実行できるようになる。
【発明の効果】
【０００８】
したがって、本発明によれば、ユーザが複数のメディアを用いて処理するにあたり、複数のメディアを対応するメディアドライブに装着し、この装着したメディア内のファイルに対して一括して処理を行うことができるため、複数のメディアを用いるユーザの利便性を大幅に向上させることが可能となる。
【発明を実施するための最良の形態】
【０００９】
以下、本発明の実施の形態を図に基づき説明する。図１は、本実施形態に係る画像処理装置を説明するブロック図である。すなわち、この画像処理装置１は、各種のメディアを取り扱うことができるよう設けられた複数のメディアドライブ（ここでは、メディアドライブＡ〜Ｃ）と、これらのメディアドライブＡ〜Ｃに対してアクセスを行うファイルシステム１１と、ファイルシステム１１に対して指示を与え、メディアドライブＡ〜Ｃに装着されたメディアに記憶されたファイルを処理するアプリケーション２０と、アプリケーション２０によって処理されたファイルを印刷出力するプリンタ１４とを備えている。
【００１０】
特に、本実施形態のアプリケーション２０は、ファイルシステム１１を介して複数のメディアドライブＡ〜Ｃに装着された複数のメディアに記憶されているファイルを一括して処理できるようになっている。つまり、メディアドライブＡ〜Ｃに各々メディアが装着されている場合、全てのメディアに記憶されたファイルを一括して取り扱い、これらのファイルに対してユーザが所望の処理を行うことができるようになっている。
【００１１】
上記構成のほか、本実施形態の画像処理方法１では、メディアに記憶されたファイルに対する画像処理を行う画像処理部１２、プリンタ１４を制御するプリンタ制御部１３、ユーザとのインタフェースとなる操作パネル１５各部の制御を統括するシステム制御部１０を備えている。ここで、操作パネル１５は、各種の情報やファイルのサムネイル等を画面表示するディスプレイと、ユーザからの入力操作を受け付けるキーボタンやタッチパネルを有している。なお、本発明では、プリンタ１４とともに、操作パネル１５のディスプレイを出力部として捉えるものとする。
【００１２】
本実施形態の画像処理装置１で用いられるアプリケーション２０としては、コピーアプリケーション２１、画像プリントアプリケーション２２、インデックスプリントアプリケーション２３、ファックスアプリケーション２４が設けられている。コピーアプリケーション２１は、図示しないスキャナ部で取り込んだ原稿画像を用紙に印刷出力する複写処理を行うものである。また、画像プリントアプリケーション２２は、メディアに記憶されたファイルを用紙に印刷出力する処理を行うものである。また、インデックスプリントアプリケーション２３は、メディアに記憶された複数のファイルのサムネイルを用紙に印刷出力する処理を行うものである。また、ファクスアプリケーション２４は、図示しないスキャナ部で取り込んだ原稿画像やメディアに記憶されたファイルを電話回線によってファクシミリ送信する処理を行うものである。なお、上記の各アプリケーションは一例であり、他の処理を行うアプリケーションが設けられていてもよい。
【００１３】
次に、本実施形態の画像処理方法について説明する。図２は、本実施形態の画像処理方法を画面遷移に沿って説明する模式図、図３は、インデックスプリントの例を示す模式図である。なお、以下の説明で図２、図３に示されない符号は、図１を適宜参照するものとする。本実施形態に係る画像処理方法は、複数のメディアドライブＡ〜Ｃに装着された複数のメディアに対してアクセスを行い、これらのメディアに記憶されたファイルを一括して処理する点に特徴がある。
【００１４】
先ず、図２（ａ）に示すように、各アプリケーションに対応したメニュー画面を操作パネル１５のディスプレイに表示し、ユーザからの指示を受け付ける。例えば、ユーザが「インデックスプリント」を選択すると、操作パネル１５から指示を受けたシステム制御部１０がインデックスプリントアプリケーション２３を起動する。
【００１５】
インデックスプリントアプリケーション２３は、システム制御部１０を介して操作パネル１５のディスプレイに、図２（ｂ）に示すようなメディアドライブの選択画面を表示させる。ここでは、機器本体に接続されたメディアドライブＡ〜Ｃの個々のアイコンのほか、全メディアドライブを指定できるアイコンを表示する。
【００１６】
次に、ユーザが例えば全メディアドライブのアイコンを指定した場合、システム制御部１０はその指示をインデックスプリントアプリケーション２３に渡す。インデックスプリントアプリケーション２３は、この指示に従いファイルシステム１１を介して全てのメディアドライブＡ〜Ｃに順次アクセスを行う。すなわち、「メディアドライブＡ」「メディアドライブＢ」「メディアドライブＣ」に順次アクセスし、装着されているメディア内のファイルを読み取り、そのサムネイル画像を元画像から取得あるいは画像処理部１２を介して生成して、ドライブ名、ファイル名と共にシステム制御部１０を介して操作パネル１５のディスプレイに表示する。図２（ｃ）は、各メディアから読み取ったファイルのサムネイル画像が操作パネル１５のディスプレイに表示されている例を示している。
【００１７】
次に、図２（ｃ）に示すディスプレイ表示からユーザが「スタート」のアイコンを選択すると、インデックスプリントアプリケーション２３は画像処理部１２を介して各ファイルのサムネイル画像、ドライブ名、ファイル名をレイアウトしてプリント可能なフォーマットに変換し、システム制御部１０を介してプリンタ制御部１３にプリント指示を行う。プリンタ制御部１３は指示された画像をプリンタ１４に送り、ここで用紙に印刷出力する。これにより、図３に示すようなインデックスプリントを得ることができる。つまり、ユーザは、メディアドライブＡ〜Ｃに装着した複数のメディアに記憶されている複数のファイルのインデックスプリントを一括処理で得ることが可能となる。
【００１８】
なお、このインデックスプリントでは、メディアドライブＡ〜Ｃに装着された複数のメディアに記憶されている全てのファイルをインデックスプリントする例を示したが、ユーザによって選択されたファイルのみをインデックスプリントするようにしてもよい。
【００１９】
すなわち、ユーザは、図２（ｂ）や図２（ｃ）に示す画面表示がされた際に、インデックスプリントを行いたいメディアやファイルを任意に選択することができる。例えば、図２（ｂ）に示す画面表示で、全メディアドライブを指定せず、メディアドライブＡ〜Ｃのうち、任意の１つもしくは複数のメディアドライブを指定することで、その指定されたメディアドライブのみをアクセス対象とすることができる。
【００２０】
また、図２（ｃ）に示す画面表示で、アクセス対象となったメディアドライブから読み込まれたファイルのサムネイル表示が成されている際に、インデックスプリントを行いたいファイルをタッチパネルやキーボタンで指定することで、その指定されたファイルのみをインデックスプリントの対象にすることができる。
【００２１】
また、インデックスプリント以外の画像プリントやファックス処理についても、上記と同様なファイルアクセスにより一括処理することができる。すなわち、画像プリントやファックス処理が選択された場合も、図２（ｂ）に示すようなメディアドライブの選択画面を表示し、ここで選択されたメディアドライブのメディアに対して一括してファイルのアクセス処理を行い、図２（ｃ）に示すようなサムネイル表示を行う。その後、サムネイル表示から選択されたファイル（１つでも複数でも可）を処理対象として、画像プリントやファックス処理を実行する。
【００２２】
このような処理によって、複数のメディアを用いるユーザは一度に全てのメディアに対するファイルアクセスを行うことが可能となり、何度もメディアを抜き差ししなくても、一度の操作で全てのファイルに対して効率良く処理を実行できるようになる。
【００２３】
次に、本実施形態の画像処理方法における他の例を説明する。上述の例では、前のユーザがメディアを取り忘れた場合に、次のユーザが空いているメディアドライブにメディアを装着して「全メディアドライブ」を選択すると、前のユーザのメディアまで処理対象となってしまう。このようなことを避けるために、ユーザがメニュー画面で「インデックスプリント」を選択したときに既にメディアが装着されていた場合には、メディアを取り出すようメッセージを表示し、メディアが一つも装着されていない状態でのみインデックスプリントへ進めるようにして、その後に処理対象のメディアを装着してもらうようにする。
【００２４】
図４は、この例を画面遷移に沿って説明する模式図である。先ず、図４（ａ）に示すように、各アプリケーションに対応したメニュー画面を操作パネル１５のディスプレイに表示し、ユーザからの指示を受け付ける。例えば、ユーザが「インデックスプリント」を選択すると、操作パネル１５から指示を受けたシステム制御部１０がインデックスプリントアプリケーション２３を起動する。
【００２５】
次に、インデックスプリントアプリケーション２３は、ファイルシステム１１を介して接続された全てのメディアドライブＡ〜Ｃにアクセスを行い、メディアドライブＡ〜Ｃのいずれかにメディアが装着されているか否かを検証する。ここで、メディアが装着されているメディアドライブがある場合、図４（ｂ）に示すようなメッセージを表示する。例えば、メディアドライブＡにメディアが装着されている場合には、「メディアがドライブＡに装着されています。メディアを抜いて下さい。」のメッセージを操作パネル１５のディスプレイに表示する。
【００２６】
つまり、ユーザがインデックスプリントを始めようとした際に、既にメディアが装着されている場合には前のユーザがメディアを抜き忘れている可能性が高いため、このメディアに対するアクセスをしないように、一度メディアを抜かない限り次の処理へ進めないようにする。これによって、前のユーザが抜き忘れたメディアに誤ってアクセスしてしまうことを確実に防止できるようになる。
【００２７】
既に装着されたメディアを取り出す旨のメッセージの後、そのメディアが抜かれた場合には、図４（ｃ）に示すようなメニュー画面を再度表示する。ここで、ユーザが再度「インデックスプリント」を選択すると、図４（ｄ）に示すような画面表示、すなわち、これから処理するメディアの装着を促すメッセージを画面表示する。
【００２８】
一方、ユーザが図４（ａ）に示すメニュー画面で「インデックスプリント」を選択し、メディアドライブＡ〜Ｃにメディアが装着されていなかった場合には、前のユーザによるメディアの抜き忘れはないと判断し、この場合には、図４（ａ）に示すメニュー画面から図４（ｄ）に示す画面表示へ移行して、これから処理するメディアの装着を促すようにする。
【００２９】
ユーザがメディアを所定のメディアドライブに装着し、「ＯＫ」ボタンを選択すると、インデックスプリントアプリケーション２３は、システム制御部１０を介して操作パネル１５のディスプレイに、図４（ｅ）に示すようなメディアドライブの選択画面を表示させる。この選択画面から後の処理は、先に説明した図２（ｃ）〜図３に示す画面遷移および処理と同様である。
【００３０】
図４に示す画面遷移では、ユーザが「インデックスプリント」が選択された場合を例としたが、画像プリントやファクス処理のように、メディアに対してアクセスを行いファイルの処理を行うアプリケーションであれば、同じように処理前にメディアの装着状態を検証し、装着されていればメディアの取り出しを促すメッセージを表示することで、前のユーザが抜き忘れたメディアへのアクセスを防止できるようになる。
【産業上の利用可能性】
【００３１】
上記説明したメディアドライブＡ〜Ｃは画像処理装置１に設置されているものを例としたが、携帯電話機やＰＤＡ（Personal Digital Assistant）、デジタルカメラのような携帯型の機器をメディアドライブとして捉え、これらの機器を画像処理装置１のファイルシステム１１と接続することで、他のメディアドライブＡ〜Ｃと同様に取り扱うことができる。また、これらの機器と無線によってファイルシステム１１と接続する場合には、ファイルシステム１１に接続された無線通信手段（図示せず）を介して通信を行うようにすればよい。
【図面の簡単な説明】
【００３２】
【図１】本実施形態に係る画像処理装置を説明するブロック図である。
【図２】本実施形態の画像処理方法を画面遷移に沿って説明する模式図である。
【図３】インデックスプリントの例を示す模式図である。
【図４】本実施形態の他の画像処理方法を画面遷移に沿って説明する模式図である。
【符号の説明】
【００３３】
１…画像処理装置、１０…システム制御部、１１…ファイルシステム、１２…画像処理部、１３…プリンタ制御部、１４…プリンタ、１５…操作パネル、２０…アプリケーション、２１…コピーアプリケーション、２２…画像プリントアプリケーション、２３…インデックスプリントアプリケーション、２４…ファックスアプリケーション
【図１】
2005327070.tif 000003
【図２】
2005327070.tif 000004
【図３】
2005327070.tif 000005
【図４】
2005327070.tif 000006